(57)【要約】      （修正有）【課題】無線基地局において従来問題となっていた共通チャネルと個別チャネルをベースバンド処理部に割当てる複雑な処理を簡易な処理で実現できるようにする。【解決手段】共通チャネルと個別チャネルを割り当てることが可能な第１のベースバンド処理部と個別チャネルを割り当てることが可能な第２のベースバンド処理部と、各処理部に割当てられている個別チャネルの情報を管理するテーブルと各処理部の現在の使用状況を管理する使用リソース管理テーブルとを有するチャネル管理部とを有し、新規に個別チャネルをベースバンド処理部に割当てる処理が発生した場合には、チャネル管理部が有するそれぞれのテーブルに基づいて第１のベースバンド処理部又は第２のベースバンド処理部に割当てる。【選択図】図２
2007049580.tif 000002
【特許請求の範囲】
【請求項１】
共通チャネル及び個別チャネルをベースバンド処理部に割当てて処理を行う無線基地局装置であって、
共通チャネルと個別チャネルを割り当てることが可能な第１のベースバンド処理部と個別チャネルを割り当てることが可能な第２のベースバンド処理部と、
前記第１のベースバンド処理部と前記第２のベースバンド処理部に割当てられている個別チャネルの情報を管理するテーブルと前記第１のベースバンド処理部と第２のベースバンド処理部の現在の使用状況を管理する使用リソース管理テーブルとを有するチャネル管理部とを有し、
新規に個別チャネルをベースバンド処理部に割当てる処理が発生した場合には、前記チャネル管理部が有するそれぞれのテーブルに基づいて第１のベースバンド処理部又は第２のベースバンド処理部に割当てることを特徴とする無線基地局装置。
【発明の詳細な説明】
【技術分野】
【０００１】
本発明は、無線基地局装置のリソース割当に関するものである。
【背景技術】
【０００２】
従来の無線基地局装置のチャネル割り当て処理は、新規チャネルを割り当てる際に、共通チャネルのデータ量を考慮しながらベースバンド信号処理部の各処理部の空きリソースを求めており、リソース管理、チャネル割り当て処理が複雑になる。また、チャネル管理テーブルのみでチャネル割り当て処理の制御を行おうとすると、新規チャネル割り当て処理が発生する毎に各処理部の空きリソースを算出し、チャネル割り当て処理を行う必要があり、チャネル割り当て処理が複雑化する。
【特許文献１】特開２００１−１１９７５２号
【発明の開示】
【発明が解決しようとする課題】
【０００３】
上記従来技術では、新規チャネルを割り当てる際に、共通チャネルのデータ量を考慮しながらベースバンド信号処理部の各処理部の空きリソースを求めており、リソース管理、チャネル割り当て処理が複雑になる。また、チャネル管理テーブルのみでチャネル割り当て処理の制御を行おうとすると、新規チャネル割り当て処理が発生する毎に各処理部の空きリソースを算出し、チャネル割り当て処理を行う必要があり、チャネル割り当て処理が複雑化する。
【課題を解決するための手段】
【０００４】
本発明は、共通チャネル及び個別チャネルをベースバンド処理部に割当てて処理を行う無線基地局装置であって、共通チャネルと個別チャネルを割り当てることが可能な第１のベースバンド処理部と個別チャネルを割り当てることが可能な第２のベースバンド処理部と、前記第１のベースバンド処理部と前記第２のベースバンド処理部に割当てられている個別チャネルの情報を管理するテーブルと前記第１のベースバンド処理部と第２のベースバンド処理部の現在の使用状況を管理する使用リソース管理テーブルとを有するチャネル管理部とを有し、新規に個別チャネルをベースバンド処理部に割当てる処理が発生した場合には、前記チャネル管理部が有するそれぞれのテーブルに基づいて第１のベースバンド処理部又は第２のベースバンド処理部に割当てることを特徴とすることで、従来問題となっていた共通チャネルと個別チャネルをベースバンド処理部に割当てる複雑な処理を簡易な処理で実現できる。
【発明の効果】
【０００５】
本発明は、共通チャネルを特定のDSP（ベースバンド処理部）に割り当て、該DSPの使用リソース数に該共通チャネル分のリソースをオフセットさせ個別チャネルのみのリソース管理とし、かつ各DSP毎に使用リソース管理テーブルを用いることによりチャネル割り当て処理を簡略化することが出来る。
【発明を実施するための最良の形態】
【０００６】
本発明では、従来技術の課題であった新規の個別チャネル割当時に、共通チャネルのデータ量を考慮しながら各ベースバンド信号処理部の空きリソースを求め個別チャネルを割当てる処理を容易にするために、共通チャネルは特定のベースバンド信号処理部にのみ割当てるようにして、個別チャネルのみを管理することを特徴としている。
【０００７】
以下図面を参照し、本発明の実施の形態例を詳細に説明する。図１は、本発明の無線基地局装置のブロック図である。無線基地局装置は、アンテナ１、無線部２、制御部３、ベースバンド処理部４、チャネル管理部５、有線伝送路インターフェイス６から構成されている。
【０００８】
図２に本発明の特徴部分であるチャネル管理部２０３とベースバンド信号処理部（DSP＿１、DSP_２、以下ベースバンド信号処理部という。）２０１及び２０２の構成図を示す。本実施例では説明を簡略化するために、ベースバンド信号処理部２０１及び２０２とチャネル管理部２０３で構成している場合に説明する。本実施例では、ベースバンド信号処理部２０１及び２０２の２つで構成しているが、１つ又は複数で構成されていてもよい。
【０００９】
チャネル管理部２０３とは、上位装置（ＲＮＣ：Radio Network Controller、図示せず。）からの指示により，新規の個別チャネルをベースバンド信号処理部２０１又は２０２へ割当て、及び個別チャネルの解放を行う処理部である。またチャネル管理部２０３は、個別チャンネルを管理するチャネル管理テーブル２０４と各ベースバンド信号処理部２０１及び２０２の使用リソース数を管理する使用リソース管理テーブル２０５を有し、このテーブルを基にベースバンド信号処理部２０１又は２０２に個別チャネルを割当/解放の処理の制御を行う。
【００１０】
ここでチャネル管理テーブル２０４とは、個別チャネルを管理するテーブルであり、各個別チャネル毎に割当てられたベースバンド信号処理部とリソース重み付け係数（リソース）を管理している。また、使用リソース管理テーブル２０５は、各ベースバンド信号処理部２０１及び２０２の使用リソース数を管理するテーブルであり、各ベースバンド信号処理部毎に使用リソース数を管理している。
【００１１】
次に新規の個別チャネルをベースバンド信号処理部２０１又は２０２に割当てる場合の処理について、図２及び図３を用いて説明していく。図３は、新規の個別チャネルをベースバンド処理部２０１又は２０２に割当てる場合のフローチャートである。
【００１２】
上位装置（ＲＮＣ）からチャネル管理部２０３へ、新規の個別チャネル割当の指示があると、チャネル管理部２０３は新規の個別チャネルのスロットフォーマット番号、物理チャネル数を取得し、（式１）の様な計算式でリソース重み付け係数を求める。（ステップ３０１）
スロットフォーマット番号重み付係数×物理チャネル数＝リソース重み付係数  （式１）
ベースバンド信号処理部２０１又は２０２に新規の個別チャネルを割当てる場合、個別チャネルのスロットフレームフォーマット番号と物理チャネル数等から新規の個別チャネルのリソース重み付け係数を算出し、現在の使用リソース数を管理している使用リソース管理テーブル２０５を参照して、各ベースバンド信号処理部の使用リソース数の確認を行い、どのベースバンド信号処理部に新規の個別チャネルを割当てるかを判断する。（ステップ３０２）この処理において、新規の個別チャネルを割り当て可能と判断した場合は、チャネルリソース管理テーブル２０４及び使用リソース管理テーブル２０５の更新を行い、新規個別チャネルの割り当て処理を終了する。（ステップ３０３）
【００１３】
上記で、新規の個別チャネルの割り当てについて説明したが、図４を用いて個別チャネルの解放について説明をする。
上位装置（RNC）から個別チャネルの解放の指示をチャネル管理部２０３が受けるとチャネル管理部は、チャネル管理テーブル２０４から解放する個別チャネルのDSP番号と重み付け係数を抜き出し、使用リソース管理テーブル２０５から解放する個別チャネルに該当するDSP番号の使用リソース数から重み付け係数を差し引く処理を行う。（ステップ４０１）リソース数から重み付け係数を差し引く処理を行った後、チャネル管理テーブル２０４及び使用リソース管理テーブル２０５の更新を行い、解放する個別チャネルはテーブルから削除される。（ステップ４０２）
【００１４】
ここで、本発明の具体的な例を図２、図５、図６を用いて説明をする。例えば、本発明のベースバンド信号処理部は図２に示すように２つのベースバンド部（DSP＿１、DSP_2、以下DSP_１、DSP_２という。）から構成されており、チャネル管理部は図５のようなチャネル管理テーブルと図６のような使用リソース管理テーブルを持っているものとする。ここで各DSP＿１及びDSP＿２は、最大のリソース数を１６リソースとし、共通チャネルを割当てるＤＳＰをＤＳＰ＿１とし、共通チャネル用のリソースを８リソース確保しているものとする。
【００１５】
現在割り当てられている個別チャネルは、図５に示すようにチャネル１、３、４、８であり、チャネル１のサービス種別がAＭＲ（音声通話）、チャネル３がＰＫT（パケット）６４kbps、チャネル４がAMR、チャネル８がAMRであるとし、各サービス種別のリソース数がAMRが１リソース、ＰＫT６４kbpsが４リソースとする。このリソース数は、上記で説明した式から求めたものである。また、チャネル１はＤＳＰ＿１、チャネル３はＤＳＰ＿１、チャネル４はＤＳＰ＿２、チャネル８はＤＳＰ＿２にそれぞれ割り当てられているものとする。
また、上記の図５のチャネル管理テーブルにより、現在の使用リソース数は図６の使用リソース管理テーブルのようにＤＳＰ＿１が共通チャネル用のリソースの８リソースとチャネル１、３の５リソースで１３リソースを使用しており、ＤＳＰ＿２は、２リソースを使用している。
【００１６】
以上のことを踏まえ、ここでサービス種別がＰＫT６４kbpsの個別チャネルを割り当てる場合、まずサービス種別がＰＫT６４kbpsであるため当該個別チャネルに必要なリソース数は、４リソースとなる。次に、当該個別チャネルを図６の使用リソース管理テーブルを用いて割り当て可能なＤＳＰを選択する。本説明では、ＤＳＰの最大リソース数が１６リソースで割り当て可能なＤＳＰはＤＳＰ＿２のみであるため、ＤＳＰ＿２に新規の個別チャネルが割り当てられる。本説明では、ＤＳＰ＿２のみに割り当て可能であったが、割り当て可能なＤＳＰが複数の場合は、空きリソース数が多いものから割り当てても良いし、その他の規則に従って割り当てても良い。
【００１７】
新規の個別チャネルを割り当てるＤＳＰが決定したら、チャネル管理テーブル及び使用リソース数の更新を行い、割り当て処理を終了する。これらの処理が、新規の個別チャネルを割り当てる場合の処理である。また、共通チャネルを割り当てる際は、ＤＳＰ＿１に割り当てるようになっているので、ＤＳＰ＿１に自動的に割り当てられるものとする。
【００１８】
次にチャネルの開放について図７、図８を用いて説明する。図７、図８は先ほど説明した新規の個別チャネルがＤＳＰ＿２に割り当てられてチャネル管理テーブル及び使用リソース管理テーブルが更新された状態を示している。
ここで、個別チャネル２を解放せよと上位装置から指示があると、チャネル管理部はチャネル管理テーブルの個別チャネル２のＤＳＰ番号とリソース数（重み付け係数）を取得し、使用リソース管理テーブルから解放する個別チャネルを処理しているＤＳＰ＿２からリソース数４を差し引きテーブルの更新を行う。
【図面の簡単な説明】
【００１９】
【図１】無線基地局装置の構成図
【図２】本発明の特徴部分の構成図
【図３】リソース割り当てのフローチャート
【図４】リソース解放のフローチャート
【図５】チャネル管理テーブル（割り当て前）
【図６】使用リソース管理テーブル（割り当て前）
【図７】チャネル管理テーブル（割り当て後）
【図８】使用リソース管理テーブル（割り当て後）
【符号の説明】
【００２０】
１：アンテナ、２：無線部、３：制御部、４：ベースバンド処理部、５：チャネル管理部、６：有線伝送路インターフェイス
２０１：ベースバンド信号処理部（DSP_1）、２０２：ベースバンド信号処理部（DSP_2）、２０３：チャネル管理部、２０４：チャネル管理テーブル、２０５：使用リソース管理テーブル
【図１】
2007049580.tif 000003
【図２】
2007049580.tif 000004
【図３】
2007049580.tif 000005
【図４】
2007049580.tif 000006
【図５】
2007049580.tif 000007
【図６】
2007049580.tif 000008
【図７】
2007049580.tif 000009
【図８】
2007049580.tif 000010